(57)【要約】【課題】不純物を含まないピュアな純水を洗顔・洗髪等の理美容分野、医療健康分野、飲食関係、その他、生活用水利用設備全般に利用できるようにした生活用水製造装置を、コンパクトで且つ故障を可及的に抑制できる状態に収納配置させた構成を提供すること。【解決手段】純水生成器５及びこれを生活用水利用設備に供する手段を備えた生活用水製造装置１が収納枠６５内に収納設置されており、この生活用水製造装置１が具備する電気駆動型の開閉弁４は、収納枠６５内において上方に配置され且つこの収納枠６５内においてこれら開閉弁４の下方に純水生成器５が配置されている。【選択図】図１
2008073669.tif 000002
【特許請求の範囲】
【請求項１】
原水供給源（ＣＷ）から供給された原水をもとに純水を生成して吐出栓（４３）（５２）を経て生活用水利用設備へ供給するための生活用水製造装置（１）であって、
上記生活用水製造装置（１）は、容器（６）内が逆浸透膜（７）で仕切られてこの逆浸透膜（７）の一方側に原水通路（８）が形成され他方側に純水通路（９）が形成されている構造の逆浸透膜式純水生成器（５）と、原水供給源（ＣＷ）側から吐出栓（４３）（５２）までの間で上記純水生成器（５）を接続配管する配管システム（３）とを有したものであってこの配管システム（３）には必要に応じて経路構成を切り替える遠隔操作可能な電気駆動型の開閉弁（４）が複数設けられており、
これら開閉弁（４）は収納枠（６５）内において上方に配置され且つこの収納枠（６５）内においてこれら開閉弁（４）の下方に純水生成器（５）が配置されている
ことを特徴とする生活用水製造装置。
【請求項２】
前記純水生成器（５）は複数設けられており、各純水生成器（５）は収納枠（６５）内においてその左右両脇に振り分けられ且つそれぞれ長手方向を縦方向に向けて配置され、前記収納枠（６５）内の中央であって左右に振り分け配置された純水生成器（５）の相互間に前処理器（２２）（２３）、紫外線殺菌装置（３８）をはじめとする機器類及びこれらを接続配管する配管部材が収められている
ことを特徴とする請求項１記載の生活用水製造装置。
【請求項３】
前記収納枠（６５）の外周部であって開閉弁（４）の配置レベル以上の高さで収納枠（６５）内を換気する換気ファン（７１）が設けられている
ことを特徴とする請求項１又は請求項２記載の生活用水製造装置。
【請求項４】
前記生活用水製造装置（１）の配管システム（３）には純水生成器（５）によって生成された純水を加熱する加熱装置（４０）が設けられており、この加熱装置（４０）が収納枠（６５）の下部に収納設置されている
ことを特徴とする請求項１乃至請求項３のいずれかに記載の生活用水製造装置。
【請求項５】
前記生活用水製造装置（１）の配管システム（３）には送水ポンプ（２０）が設けられており、この送水ポンプ（２０）が収納枠（６５）の下部に収納設置されている
ことを特徴とする請求項１乃至請求項４のいずれかに記載の生活用水製造装置。
【請求項６】
前記生活用水利用設備が洗面器（６６）と、この洗面器（６６）を所定高さに支持する下部キャビネット（６８）と、洗面器（６６）の奥部上方に起立姿勢で設けられる鏡体（７０）とを有し、洗面器（６６）へ向けて吐出栓（４３）（５２）が設けられた洗面化粧台（２）とされており、前記収納枠（６５）が洗面化粧台（２）の鏡体（７０）の裏面側に扁平な薄型の枠体として配置されていることを特徴とする請求項１乃至５のいずれかに記載の生活用水製造装置。
【発明の詳細な説明】
【技術分野】
【０００１】
本発明は、理美容、健康、医療、飲食、その他、生活用水利用設備全般に使用される生活用水製造装置に関するものである。
【背景技術】
【０００２】
従来、例えば、洗顔や洗髪に際して、化粧品や化粧水、シャンプーやリンスに拘る人は多いが、水に拘る人は少ないのが実情である。
なお、従来、病院、実験室、飲食品加工業、調理場など衛生の確保が高度に要求される作業現場に設置される手洗い装置として、紫外線殺菌器とフィルターとを給水配管中に設置した殺菌水洗面化粧台が提案されている（例えば、特許文献１参照）。
【特許文献１】実開昭６１−９０４９０号公報
【発明の開示】
【発明が解決しようとする課題】
【０００３】
従来、洗顔や洗髪に使用している水の大半は、水道水又は井戸水である。前記特許文献１のものは、原水を紫外線殺菌器で殺菌し、フィルターで濾過して使用するようにしているが、純水に比較すれば、不純物が残留しているものと推定されるのみならず、温水として使用するようにしたものではない。
一方、純水は、水道水や井戸水とは違い、不純物（例えば、塩素、トリハロメタン、有機物、無機物、細菌類等）を殆ど含まないピュアな水のため、素肌に浸透し易く、馴染み易い性質を有している。
【０００４】
純水を使用した洗顔や洗髪は、従来使用している水道水や井戸水と比較すると、素肌に対して、遙かに浸透性が高く、老廃物（脂肪等）や汚れを落とす作用効果が優れている。
特に、純水を加熱して温水として使用することによって、洗顔や洗髪時に素肌に沈着している老廃物（脂肪等）を確実に浮かせ、より質の高い洗顔や洗髪を可能にする。
しかし、純水を作るためには、例えば、純水生成器を従来使用している洗面化粧台等に組み込む必要があり、その組み込みスペースとして、洗面化粧台等の下部スペースが想定されるが、この下部スペースでは、小型のものしか組み込めず、これでは、純水の生成能力が低く満足な洗顔や洗髪を行うことができないという問題がある。なお、純水を大量に生成できる能力のある大型の純水生成器を洗面化粧台等とは別設置することも考えられるが、その場合では、この装置の設置場所の確保が問題となり、取付施工性及び運搬・取扱性等にも問題がある。
【０００５】
また、純水生成器では所定水量の水を一時的に溜めるような状態で純水の生成を行うものであるために、生成器外周部では結露が起こりやすく、この種の純水生成器を洗面化粧台等の限られたスペースへ無策のまま組み込ませた場合、流路構成に必要とされる開閉弁などの電気駆動型の機器類が結露水によって故障しやすくなるといった問題が予測される。
本発明は、従来技術の上記問題点に鑑みて開発されたもので、不純物を含まないピュアな純水を洗顔・洗髪等の理美容分野、医療健康分野、飲食関係、その他、生活用水利用設備全般に利用できるようにした生活用水製造装置を、コンパクトで且つ故障を可及的に抑制できる状態に収納配置させた構成を提供することを目的とする。
【課題を解決するための手段】
【０００６】
前記目的を達成するために、本発明は次の手段を講じた。
即ち、本発明は、原水供給源から供給された原水をもとに純水を生成して吐出栓を経て生活用水利用設備へ供給するための生活用水製造装置であって、上記生活用水製造装置は、容器内が逆浸透膜で仕切られてこの逆浸透膜の一方側に原水通路が形成され他方側に純水通路が形成されている構造の逆浸透膜式純水生成器と、原水供給源側から吐出栓までの間で上記純水生成器を接続配管する配管システムとを有したものであってこの配管システムには必要に応じて経路構成を切り替える遠隔操作可能な電気駆動型の開閉弁が複数設けられており、これら開閉弁は収納枠内において上方に配置され且つこの収納枠内においてこれら開閉弁の下方に純水生成器が配置されている。
【０００７】
上記構成によれば、不純物を含まないピュアな純水を生成する生活用水製造装置を、収納枠内に電気駆動型の開閉弁が上方で、その下方に純水生成器が設けられる配置であるので、純水生成器で発生する結露水が原因で開閉弁が故障を起こすことを防止できる。
また、純水生成器が複数設けられているものとした場合、各純水生成器は収納枠内においてその左右両脇に振り分けられ且つ長手方向を縦方向に向けて配置され、収納枠内の中央であって左右に振り分け配置された純水生成器の相互間に、前処理器や紫外線殺菌装置をはじめとする機器類及びこれらを接続配管する配管部材が収められたものとするのがよい。
【０００８】
このようにすることで、純水生成器や前処理器、紫外線殺菌装置といった機器類の収まりをよくし、全体を機能的で且つコンパクトにまとめることができる。従って、生活用水製造装置全体として、外観を損なわずコンパクトで機能的なものとさせることができる。
また、収納枠の外周部であって開閉弁の配置レベル以上の高さで収納枠内を換気する換気ファンを設けるのが好適である。
このようにすることで、収納枠内全域にわたり結露の発生を防止できる。そのため、電気駆動型の各種機器類が故障するのを防止できる他、カビや害虫、異臭の発生等を防止できる利点もある。
【０００９】
生活用水製造装置の配管システムには純水生成器によって生成された純水を加熱する加熱装置が設けられているが、この加熱装置は収納枠の下部に収納設置するのがよい。また生活用水製造装置の配管システムには送水ポンプが設けられているが、この送水ポンプは収納枠の下部に収納設置するのがよい。
このようにすることで、全体を機能的で且つコンパクトにまとめることができる。従って、生活用水製造装置全体として、外観を損なわずコンパクトで機能的なものとさせることができる。
【００１０】
また、前記生活用水利用設備が洗面器と、この洗面器を所定高さに支持する下部キャビネットと、洗面器の奥部上方に起立姿勢で設けられる鏡体とを有し、洗面器へ向けて吐出栓が設けられた洗面化粧台とされており、前記収納枠が洗面化粧台の鏡体の裏面側に扁平な薄型の枠体として配置されているものであってもよい。
このようにすることで、不純物を含まないピュアな純水、即ち、素肌に浸透し易く、馴染みやすい高品質の純水で先願・洗髪等を効率よく高品位を維持して行うことができ、しかも、生活用水製造装置を洗面化粧台の鏡体の裏面側の扁平薄型の収納枠内にコンパクトにまとめることができ、設置場所の確保が容易となり、取付施工性及び運搬・取扱性等の問題も解消することができる。
【発明の効果】
【００１１】
本発明に係る生活用水製造装置では、不純物を含まないピュアな純水を洗顔・洗髪等の理美容分野、医療健康分野、飲食関係、その他、生活用水利用設備全般に利用できるようにした生活用水製造装置を、コンパクトで且つ故障を可及的に抑制できる状態に収納配置させた構成を提供することができる。
【発明を実施するための最良の形態】
【００１２】
以下、本発明の実施形態を図面に基づいて説明する。
図１乃至図１３は、本発明に係る生活用水製造装置１を生活用水利用設備の一例である洗面化粧台２に適用した一実施形態を示している。図５及び図６に示すように、この洗面化粧台２は生活用水製造装置１を収納具備したものとなっている。
［生活用水製造装置１］
この生活用水製造装置１は、図２乃至図４に示すような純水生成器５を具備している。
［純水生成器５］
純水生成器５は逆浸透膜式を採用した、所謂、メンブレンフィルタであって、容器６内に逆浸透膜７が設けられ、この逆浸透膜７によって仕切られる一方側に原水通路８が形成され、他方側に純水通路９が形成されるようになっている。
【００１３】
本実施形態において容器６は円筒形に形成されていると共に、この容器６内の長手方向全長にわたり且つ同心配置となるように、一回り径小の円筒形を形成する状態で逆浸透膜７が収納されており、この逆浸透膜７の円筒形内部に形成される円形通路が純水通路９として使用され、円筒形外部に形成される円筒形通路が原水通路８として使用される。すなわち、純水通路９のまわりを原水通路８が全周的に取り囲むような状態となっている。
逆浸透膜７は、微細な不純物（例えば、塩素、細菌類、その他、０．０００１ミクロン以上の溶質）を濾過除去して純水を生成できるようにしたもので、膜両側が略同圧のときには、溶液の濃度差により、薄い側から濃い側へ溶媒が浸透して濃度が平衡するまで浸透現象が進行するが、濃い側の溶液を浸透圧以上に加圧したときには、逆浸透現象が起こる。すなわち、原水通路８に高濃度側として原水を通し、純水通路９に低濃度側として純水を通すように使用する場合、膜両側が略同圧のときに図４に示すように純水通路９側から原水通路８側へ向けた浸透現象が起こるものの、原水通路８側を浸透圧以上に加圧することで、図３に示すように、原水通路８側から純水通路９側へ向けた逆浸透現象が起こり、純水通路９内で純水を生成できることになる。
【００１４】
この純水生成器５の一次側には原水供給路１０と、洗浄水供給路１１と、洗浄用純水供給路１２とが設けられており、純水生成器５の二次側には純水取出路１５と、廃棄原水取出路１６と、廃棄純水取出路１７とが設けられている。
原水供給路１０は原水通路８へ原水を供給するためのものであり、洗浄水供給路１１は、原水供給路１０から原水通路８へ原水が供給されていないとき（非供給時）に限り原水通路８へ洗浄用純水を供給するためのものであり、洗浄用純水供給路１２は、原水供給路１０及び洗浄水供給路１１から原水通路８へ原水が供給されていないとき（非供給時）に限り、純水通路９へ洗浄用純水を供給するためのものである。
【００１５】
なお、原水供給路１０と洗浄水供給路１１とは、図例のように各独立した状態で純水生成器５に接続するようにしてもよいが、これに限定されるものではなく、途中で流路切替弁などを介して合流させた状態で、この流路切替弁と純水生成器５とを１本の配管経路として接続させるようにしてもよい。
純水取出路１５は純水通路９からの流出水を適宜の吐出栓へ導くためのものであり、廃棄原水取出路１６は原水通路８からの流出水を適宜の廃棄端へ導くためのものであり、廃棄純水取出路１７は純水通路９から取り出された純水を純水取出路１５の始端、途中又は終端から適宜の廃棄端へ導くためのものである。
［配管システム３］
図１は、生活用水製造装置１の配管図であって、この図１から明らかなように、本実施形態において上記した純水生成器５は複数（図例では２台）設けられ、これら各純水生成器５を所定配置で接続させるようにして配管システム３が構成されている。以下、一方の純水生成器５を「第１純水生成器５Ａ」と言い、他方の純水生成器５を「第２純水生成器５Ｂ」と言う。これら第１、第２の各純水生成器５Ａ，５Ｂには、純水生成能力が例えば４．７リットル毎分のものを採用することができる。
【００１６】
なお、配管システム３では、原水や純水などの流れを所定向きに規制するために各所に逆止弁が設けられているが、逆止弁を設けること自体はこの種の流体設備では各種機器への逆流や流体の混濁を防ぐための普通の技術であり、以下ではこれら逆止弁の位置付けを逐一説明しない。
また、この配管システム３では、必要に応じて所定の配管回路を構成させるため、電磁弁や電動弁などの遠隔操作可能な電気駆動型の開閉弁４を各所に配置してあり、これら各開閉弁４で流路切替を行うものとしているが、以下では説明の便宜上、１番開閉弁４ａ、２番開閉弁４ｂ、３番開閉弁４ｃ、・・・等と番号を付した名称とする。但し、これら各開閉弁４に付した番号はあくまでも説明の便宜上のもので、流れ順や配置順などとは無関係とする。
［原水供給路１０］
この生活用水製造装置１は、水道水や井戸水等の原水供給源ＣＷから１番開閉弁４ａ及び送水ポンプ２０を経た後、一次前処理器２２、二次前処理器２３を経、２番開閉弁４ｂ又は３番開閉弁４ｃを介して第１、第２の各純水生成器５Ａ，５Ｂが並列に接続されている。
【００１７】
一次前処理器２２は原水から粗大な不純物（６μｍ以上のほこりや砂、錆等の各種浮遊物質類）を除去するためのもので、例えばセディメントフィルタを採用することができる。また二次前処理器２３は、一次前処理器２２では十分に除去できないような微細な不純物（トリハロメタン等の各種有害成分）を濾過除去するためのもので、例えばプリカーボンフィルタを採用することができる。これら一次前処理器２２及び二次前処理器２３を設けることにより、第１、第２の各純水生成器５Ａ，５Ｂにおける純水生成機能を高精度化できる。
【００１８】
原水供給源ＣＷから２番開閉弁４ｂを経て第１純水生成器５Ａに至る間、及び原水供給源ＣＷから３番開閉弁４ｃを経て第２純水生成器５Ｂに至る間を接続しているのが、それぞれ原水供給路１０（図２参照）であって、第１、第２の各純水生成器５Ａ，５Ｂに対しては、それらの各原水通路８に対する一次側と接続されていることになる。以下、第１純水生成器５Ａ用の原水供給路１０を「第１原水供給路１０Ａ」と言い、第２純水生成器５Ｂ用の原水供給路１０を「第２原水供給路１０Ｂ」と言う。２番開閉弁４ｂと３番開閉弁４ｃのそれぞれの一次側が互いに連通接続されている。
［廃棄原水取出路１６］
第１純水生成器５Ａの二次側は、第１流量計２５から合流部２６を経て廃棄端２７へ至るように接続されており、第２純水生成器５Ｂの二次側は、第２流量計２８から合流部２６を経て廃棄端２７へ至るように接続されている。
【００１９】
第１純水生成器５Ａから合流部２６を経て廃棄端２７に至る間、及び第２純水生成器５Ｂから合流部２６を経て廃棄端２７へ至る間を接続しているのが、それぞれ廃棄原水取出路１６（図２参照）であって、第１、第２の各純水生成器５Ａ，５Ｂに対しては、それらの各原水通路８と連通接続されていることになる。以下、、第１純水生成器５Ａ用の廃棄原水取出路１６を「第１廃棄原水取出路１６Ａ」と言い、第２純水生成器５Ｂ用の廃棄原水取出路１６を「第２廃棄原水取出路１６Ｂ」と言う。
第１廃棄原水取出路１６Ａにおいて、第１純水生成器５Ａと第１流量計２５との中間部からは、分岐部３０を介して４番開閉弁４ｄへ至り、第１流量計２５をバイパスした状態で合流部２６乃至廃棄端２７へと至るように接続配管されている。同様に、第２廃棄原水取出路１６Ｂにおいても、第２純水生成器５Ｂと第２流量計２８との中間部から分岐部３１を介して５番開閉弁４ｅへ至り、第２流量計２８をバイパスした状態で合流部２６乃至廃棄端２７へと至るように接続配管されている。
【００２０】
要するに、４番開閉弁４ｄや５番開閉弁４ｅを開閉切替することで、廃棄端２７への排水状態を維持しつつ第１流量計２５や第２流量計２８による計測のオンオフを選択できるようになっている。
［純水取出路１５］
第１純水生成器５Ａの二次側は更に、上記第１廃棄原水取出路１６Ａとは別の接続経路により、６番開閉弁４ｆ、合流部３５、純水流量計３６、分配経路３７、紫外線殺菌装置３８、及び７番開閉弁４ｇを経るようにして加熱装置４０と接続されている。また、第２純水生成器５Ｂからは、上記第２廃棄原水取出路１６Ｂとは別の接続経路により、８番開閉弁４ｈを介して上記合流部３５と連通接続されており、結果としてこの第２純水生成器５Ｂも、純水流量計３６、分配経路３７、紫外線殺菌装置３８、７番開閉弁４ｇを経て加熱装置４０と接続されていることになる。
【００２１】
紫外線殺菌装置３８は、第１、第２の各純水生成器５Ａ，５Ｂから送り出される純水に紫外線を照射し、殺菌処理するためのものである。
加熱装置４０は、電熱ヒータ式又はガスヒータ式などの加熱手段を具備したものであって、第１、第２の各純水生成器５Ａ，５Ｂで生成された純水を必要に応じて加熱し、常温の純水とは別に適宜の設定温度（例えば７５℃程度の高温純水や５〜１５℃程度の低温純水等とする）に維持されるように電熱ヒータ又はガスヒータのＯＮ−ＯＦＦ制御をするようになっている。この加熱装置４０には、常温純水流出路４１と加熱純水流出路４２とが接続され、これらの先に吐出栓の一種である混合水栓４３が接続されている。
【００２２】
加熱装置４０は、１回の洗顔や洗髪に使用する容量の平均値（例えば２５リットル）以上の容量の貯湯タンクを具備させておくのが好適である。加熱純水流出路４２はこの貯湯タンクの上部から加熱後の純水を取り出せるように接続しておけばよい。
なお、加熱純水流出路４２は一般給湯管４４を介して、瞬間湯沸器やセントラル給湯設備などの外部給湯設備ＨＷと連通接続させておくこともできる。この場合、一般給湯管４４には、常時閉で必要時だけ開弁できるようにした切換弁４５を設置しておくのが好適となる。
【００２３】
混合水栓４３にはシャワーヘッド付きのものを採用してもよい。また、混合水栓４３を複数設けてしてもよい。
なお、７番開閉弁４ｇと加熱装置４０とを接続する配管途中に、混合水栓４３の止水時に起こる突発的な水圧上昇（ウオーターハンマー現象）等の衝撃を吸収緩和させるためのアキュームレータ４６を設けるのが好適である。また、加熱装置４０に対して原水供給源ＣＷから直接的に原水を取り入れられるようにする緊急時対策配管５０を設けておき、この緊急時対策配管５０に対して、常時閉とする緊急解放弁５１を設けておくことが推奨される。更に、原水供給源ＣＷから直接的に原水を吐出できるようにした一般的な吐出栓（単水栓）５２を接続するようにしてもよい。
【００２４】
上記したように、第１純水生成器５Ａから合流部３５や純水流量計３６、紫外線殺菌装置３８を経るようにして加熱装置４０に至る間、及び第２純水生成器５Ｂから合流部３５や純水流量計３６、紫外線殺菌装置３８を経るようにして加熱装置４０に至る間を接続しているのが、それぞれ純水取出路１５（図２参照）であって、第１、第２の各純水生成器５Ａ，５Ｂに対しては、それらの各純水通路９と連通接続されていることになる。以下、、第１純水生成器５Ａ用の純水取出路１５を「第１純水取出路１５Ａ」と言い、第２純水生成器５Ｂ用の純水取出路１５を「第２純水取出路１５Ｂ」と言う。
［洗浄用純水供給路１２］
第１純水取出路１５Ａにおいて、純水流量計３６を経た後に接続された分配経路３７には、その経路中に、９番開閉弁４ｉを介して第２純水生成器５Ｂの一次側へと至る接続配管部分がある。同様に、第２純水取出路１５Ｂにおいても、分配経路３７の経路中から１０番開閉弁４ｊを介して第１純水生成器５Ａの一次側へと至る接続配管部分がある。
【００２５】
第１純水生成器５Ａから合流部３５や純水流量計３６、９番開閉弁４ｉを経るようにして第２純水生成器５Ｂの一次側へ至る間、及び第２純水生成器５Ｂから合流部３５や純水流量計３６、１０番開閉弁４ｊを経るようにして第１純水生成器５Ａの一次側へ至る間を接続しているのが、それぞれ洗浄用純水供給路１２（図２参照）である。
すなわち、６番開閉弁４ｆ及び９番開閉弁４ｉを開弁させた状態にすれば、第１純水生成器５Ａの純水通路９と第２純水生成器５Ｂの純水通路９とがこの順番で連通するようになって、その結果、第１純水生成器５Ａで生成された純水を第２純水生成器５Ｂの純水通路９へと導くことができるようになる。以下ではこの接続配管部分を「第１洗浄用純水供給路１２Ａ」と言う。
【００２６】
また８番開閉弁４ｈ及び９番開閉弁４ｉを開弁させた状態にすれば、第２純水生成器５Ｂの純水通路９と第１純水生成器５Ａの純水通路９とがこの順番で連通するようになって、その結果、第２純水生成器５Ｂで生成された純水を第１純水生成器５Ａの純水通路９へと導くことができるようになっている。以下ではこの接続配管部分を「第２洗浄用純水供給路１２Ｂ」と言う。
［洗浄水供給路１１］
第１純水取出路１５Ａにおいて、純水流量計３６を経た後に接続された分配経路３７では、その経路中に、上記第１洗浄用純水供給路１２Ａとは別に、１１番開閉弁４ｋを介して第２純水生成器５Ｂの一次側へと至る接続配管部分がある。この接続配管部分は、第１洗浄用純水供給路１２Ａが第２純水生成器５Ｂの純水通路９に対して連通接続されていたのとは異なり、第２純水生成器５Ｂの原水通路８に対して連通接続されている。
【００２７】
同様に、第２純水取出路１５Ｂにおいても、上記第２洗浄用純水供給路１２Ｂとは別に、分配経路３７の経路中から１２番開閉弁４ｌを介して第１純水生成器５Ａの一次側へと至る接続配管部分があり、この接続配管部分は、第２洗浄用純水供給路１２Ｂが第１純水生成器５Ａの純水通路９に対して連通接続されていたのとは異なり、第１純水生成器５Ａの原水通路８に対して連通接続されている。
第１純水生成器５Ａから合流部３５や純水流量計３６、１１番開閉弁４ｋを経るようにして第２純水生成器５Ｂの一次側へ至る間、及び第２純水生成器５Ｂから合流部３５や純水流量計３６、１２番開閉弁４ｌを経るようにして第１純水生成器５Ａの一次側へ至る間を接続しているのが、それぞれ洗浄水供給路１１（図２参照）である。
【００２８】
すなわち、６番開閉弁４ｆ及び１１番開閉弁４ｋを開弁させた状態にすれば、第１純水生成器５Ａの純水通路９と第２純水生成器５Ｂの原水通路８とがこの順番で連通するようになって、その結果、第１純水生成器５Ａで生成された純水を第２純水生成器５Ｂの原水通路８へと導くことができるようになる。以下ではこの接続配管部分を「第１洗浄水供給路１１Ａ」と言う。
また８番開閉弁４ｈ及び１２番開閉弁４ｌを開弁させた状態にすれば、第２純水生成器５Ｂの純水通路９と第１純水生成器５Ａの原水通路８とがこの順番で連通するようになって、その結果、第２純水生成器５Ｂで生成された純水を第１純水生成器５Ａの原水通路８へと導くことができるようになっている。以下ではこの接続配管部分を「第２洗浄水供給路１１Ｂ」と言う。
［廃棄純水取出路１７］
更に、第１純水取出路１５Ａにおいて、第１純水生成器５Ａと６番開閉弁４ｆとの中間部からは、分岐部４８を介して１３番開閉弁４ｍへ至り、合流部２６を経て廃棄端２７へ至るように接続配管されている。同様に、第２純水取出路１５Ｂにおいても、第２純水生成器５Ｂと８番開閉弁４ｈとの中間部から分岐部４９を介して１４番開閉弁４ｎへ至り、合流部２６を経て廃棄端２７へ至るように接続配管されている。
【００２９】
第１純水生成器５Ａから分岐部４８や１３番開閉弁４ｍ、合流部２６を経るようにして廃棄端２７に至る間、及び第２純水生成器５Ｂから分岐部４９や１４番開閉弁４ｎ、合流部２６を経るようにして廃棄端２７へ至る間を接続しているのが、それぞれ廃棄純水取出路１７（図２参照）であって、第１、第２の各純水生成器５Ａ，５Ｂに対しては、それらの各純水通路９と連通接続されていることになる。以下、、第１純水生成器５Ａ用の廃棄純水取出路１７を「第１廃棄純水取出路１７Ａ」と言い、第２純水生成器５Ｂ用の廃棄純水取出路１７を「第２廃棄純水取出路１７Ｂ」と言う。
［経路制御部６０］
このような生活用水製造装置１には経路制御部６０が設けられている。この経路制御部６０は、第１純水生成器５Ａに対する原水通路洗浄モードと純水通路洗浄モード、及び第２純水生成器５Ｂに対する原水通路洗浄モードと純水通路洗浄モードとの、合計４モードを含む経路切替を可能にするためのものである。勿論、純水生成の運転モードや原水をそのまま吐出可能な状態とする運転停止モードなどにも対応可能にするとよい。
【００３０】
この経路制御部６０は、例えば、シーケンサやコンピュータ等によるタイムスケジュール、或いは人的なスイッチ操作に基づき、配管システム３の適所に配置した圧力センサや各流量計２５，２８，３６等からデータを取り込んで、各データを比較演算しつつ配管システム３内の各開閉弁４ａ〜４ｎ等を開閉動作させる、といった具合に圧力や流量、実質的な流れの有無等をファクターとする自動制御を実行させるものとすればよい。
［洗面化粧台２としての構成］
図５及び図６に示したように、洗面化粧台２は、洗面器６６と、この洗面器６６を所定高さに支持する下部キャビネット６８と、洗面器６６の奥部上方に起立姿勢で設けられる鏡体７０とを有し、洗面器６６まわりのカウンター６７上に混合水栓４３（場合によっては吐出栓５２やシャワーヘッド等を含む）が設置されたものとなっている。鏡体７０は、下部キャビネット６８に対して一体的に連結された構造としてもよいし、下部キャビネット６８とは連結せずに、下部キャビネット６８の設置位置に合わせて建物躯体の壁面などへ固定するようにしてもよい。
【００３１】
このような洗面化粧台２に対し、生活用水製造装置１は、洗面器６６の後部及び鏡体７０の裏部、並びに下部キャビネット６８の後部にわたるようにして扁平薄型（例えば７０〜１００ｍｍ程度の奥行き寸法）の収納枠６５を設けたうえで、この収納枠６５内に整列収納することができる。収納枠６５は、洗面化粧台２の高さ及び左右方向幅と同一とすると見栄えが良好になる。なお、収納枠６５は、建物躯体側の壁面等に埋め込むようにして設けてもよい。
生活用水製造装置１の加熱装置４０や送水ポンプ２０など、比較的大きく重量のあるものについては洗面器６６の後部やその下方となる下部キャビネット６８内へ収納配置するのが好適である。
【００３２】
殊に、送水ポンプ２０は電気機器であるために漏電対策が必要であり、その意味でも第１、第２の各純水生成器５Ａ，５Ｂによる結露環境から遠ざけた配置とすべきであって、洗面器６６の後部や下部キャビネット６８内への配置は好適と言える。
第１、第２の各純水生成器５Ａ，５Ｂは、容量を確保する必要から直径及び長さ的に所定のボリュウムを有したものになるため、鏡体７０の裏側となるように配置するのが好適である。これら第１、第２の各純水生成器５Ａ，５Ｂ相互間に、一次前処理器２２及び二次前処理器２３や、第１流量計２５、第２流量計２８、純水流量計３６、紫外線殺菌装置３８を配置させると全体としての収まりがよく、コンパクトなレイアウトにできる。
【００３３】
第１、第２の各純水生成器５Ａ，５Ｂをはじめ、一次前処理器２２、二次前処理器２３、第１流量計２５、第２流量計２８、純水流量計３６、紫外線殺菌装置３８は、いずれも内部に水を貯留する状態となるため、結露を起こし易く、その結露水が落下することを考慮する必要がある。そこで、これらよりも上方となるような位置付けで、複数の開閉弁４（４ａ〜４ｎ）を配置して水濡れから回避させるのが好適となる。尚、第１流量計２５、第２流量計２８、純水流量計３６は、電気式でも可能であって、この場合では、これらも水濡れから回避するために上位に配置すればよい。
【００３４】
加えて、収納スペース６５の上部側となる位置へ換気ファン７１を設けておき、収納スペース６５内の換気を良好にさせることが推奨される。
下部キャビネット６８の前面（扉７２等）には、コントロールパネル７３が設けられ、このコントロールパネル７３には自動運転用の各種設定スイッチや各モードの運転スイッチ、緊急停止用スイッチ、警報ランプなどが設けられている。また制御ボックス等も並設することができる。
［動作］
次に、生活用水製造装置１の動作について説明する。上記構成を具備した本実施形態の生活用水製造装置１では、図７に示すように６つの動作モードを実施できる。すなわち、［第１純水生成器５Ａによる純水生成モード］［第２純水生成器５Ｂによる純水生成モード］［第１純水生成器５Ａに対する原水通路洗浄モード］［第１純水生成器５Ａに対する純水通路洗浄モード］［第２純水生成器５Ｂに対する原水通路洗浄モード］［第２純水生成器５Ｂに対する純水通路洗浄モード］の６つの動作モードである。
【００３５】
なお、図７において、最上欄の１番、２番、３番、・・・の表記は、上記説明中で記載した開閉弁の便宜上の番号であり、これら各番号の下に括弧書きで付した表記は各開閉弁の符号である。また各モードの欄では、各開閉弁が開弁されていることを「開」と表記し、閉弁されていることを升目内に「×」を入れることで表記した。「開」を表記した升目内の右下に添え書きした小さな数字は、経路の順方向に沿った開閉弁の配置（並び）を理解し易くさせるための「参考順位」である。
［第１純水生成器５Ａによる純水生成モード］
第１純水生成器５Ａを使って混合水栓４３や吐出栓５２から純水を吐出させるには、図７及び図８に示すように、１番開閉弁４ａ、２番開閉弁４ｂ、６番開閉弁４ｆ、７番開閉弁４ｇの４つの開閉弁を開弁させ、その他の開閉弁は全て閉弁させる。
【００３６】
このようにすることで、原水供給源ＣＷ−１番開閉弁４ａ−送水ポンプ２０−一次前処理器２２−二次前処理器２３−２番開閉弁４ｂ−（第１原水供給路１０Ａ）−第１純水生成器５Ａの原水通路８〜純水通路９−（第１純水取出路１５Ａ）−６番開閉弁４ｆ−合流部３５−純水流量計３６−分配経路３７−紫外線殺菌装置３８−７番開閉弁４ｇ−加熱装置４０といった経路構成がなされ、加熱装置４０を単に通過して加熱されないままの純水が常温純水流出路４１へ供給されたり、加熱装置４０で高温又は低温に加熱された純水が加熱純水流出路４２へ供給されたりする状況が整う。
【００３７】
この状況下で混合水栓４３を操作することで、所望する温度の純水を得ることができる。また吐出栓５２を操作することで常温の純水を得ることができる。
なお、第１純水生成器５Ａからは、原水通路８−第１廃棄原水取出路１６Ａ−分岐部３０−第１流量計２５−合流部２６−廃棄端２７といった経路構成もなされているので、第１純水生成器５Ａの原水通路８を通過した余剰の原水は廃棄される。
［第２純水生成器５Ｂによる純水生成モード］
第２純水生成器５Ｂを使って混合水栓４３や吐出栓５２から純水を吐出させるには、図７及び図９に示すように、１番開閉弁４ａ、３番開閉弁４ｃ、８番開閉弁４ｈ、７番開閉弁４ｇの４つの開閉弁を開弁させ、その他の開閉弁は全て閉弁させる。
【００３８】
このようにすることで、原水供給源ＣＷ−１番開閉弁４ａ−送水ポンプ２０−一次前処理器２２−二次前処理器２３−３番開閉弁４ｃ−（第２原水供給路１０Ｂ）−第２純水生成器５Ｂの原水通路８〜純水通路９−（第２純水取出路１５Ｂ）−８番開閉弁４ｈ−合流部３５−純水流量計３６−分配経路３７−紫外線殺菌装置３８−７番開閉弁４ｇ−加熱装置４０といった経路構成がなされ、加熱装置４０を単に通過して加熱されないままの純水が常温純水流出路４１へ供給されたり、加熱装置４０で高温又は低温に加熱された純水が加熱純水流出路４２へ供給されたりする状況が整う。
【００３９】
この状況下で混合水栓４３を操作することで、所望する温度の純水を得ることができる。また吐出栓５２を操作することで常温の純水を得ることができる。
なお、第２純水生成器５Ｂからは、原水通路８−第２廃棄原水取出路１６Ｂ−分岐部３１−第２流量計２８−合流部２６−廃棄端２７といった経路構成もなされているので、第２純水生成器５Ｂの原水通路８を通過した余剰の原水は廃棄される。
［第１純水生成器５Ａに対する原水通路洗浄モード］
第１純水生成器５Ａの原水通路８を洗浄するには、図７及び図１０に示すように、１番開閉弁４ａ、３番開閉弁４ｃ、８番開閉弁４ｈ、１１番開閉弁４ｋ、４番開閉弁４ｄの５つの開閉弁を開弁させ、その他の開閉弁は全て閉弁させる。
【００４０】
このようにすることで、原水供給源ＣＷ−１番開閉弁４ａ−送水ポンプ２０−一次前処理器２２−二次前処理器２３−３番開閉弁４ｃ−（第２原水供給路１０Ｂ）−第２純水生成器５Ｂの原水通路８〜純水通路９−（第２純水取出路１５Ｂ）−８番開閉弁４ｈ−合流部３５−純水流量計３６−分配経路３７−１１番開閉弁４ｋ−（第１洗浄水供給路１１Ａ）−第１純水器５Ａの原水通路８−（第１廃棄原水取出路１６Ａ）−分岐部３０−４番開閉弁４ｄ−合流部２６−廃棄端２７といった経路構成がなされ、第２純水生成器５Ｂの第２純水取出路１５Ｂと第１純水生成器５Ａの第１洗浄水供給路１１Ａとが連通した状態とされる。
【００４１】
すなわち、第２純水生成器５Ｂを使って純水を生成させたうえで、この純水を第１純水生成器５Ａの原水通路８へ送り込む状況が整う。ここにおいて繰り返し言えば、第１純水生成器５Ａの原水通路８へは第１洗浄水供給路１１Ａを使って純水が供給されるのであって、第１原水供給路１０Ａを使って原水が原水通路８へ供給されているのではない（原水供給源ＣＷからの原水が直送されるのではない）。このような経路構成により、第１純水生成器５Ａの原水通路８を洗浄することができる。
なお、分岐部３０−第１流量計２５−合流部２６−廃棄端２７といった経路構成もなされているので、第１純水生成器５Ａの原水通路８を通過した洗浄水の流量を検出することができる。
【００４２】
また、第２純水生成器５Ｂからは、原水通路８−第２廃棄原水取出路１６Ｂ−分岐部３１−第２流量計２８−合流部２６−廃棄端２７といった経路構成もなされているので、第２純水生成器５Ｂの原水通路８を通過した余剰の原水は廃棄される。
［第１純水生成器５Ａに対する純水通路洗浄モード］
第１純水生成器５Ａの純水通路９を洗浄するには、図７及び図１１に示すように、１番開閉弁４ａ、３番開閉弁４ｃ、８番開閉弁４ｈ、１０番開閉弁４ｊ、１３番開閉弁４ｍ、４番開閉弁４ｄの６つの開閉弁を開弁させ、その他の開閉弁は全て閉弁させる。
【００４３】
このようにすることで、原水供給源ＣＷ−１番開閉弁４ａ−送水ポンプ２０−一次前処理器２２−二次前処理器２３−３番開閉弁４ｃ−（第２原水供給路１０Ｂ）−第２純水生成器５Ｂの原水通路８〜純水通路９−（第２純水取出路１５Ｂ）−８番開閉弁４ｈ−合流部３５−純水流量計３６−分配経路３７−１０番開閉弁４ｊ−（第１洗浄用純水供給路１２Ａ）−第１純水器５Ａの純水通路９−（第１廃棄純水取出路１７Ａ）−分岐部４８−１３番開閉弁４ｍ−合流部２６−廃棄端２７といった経路構成がなされ、第２純水生成器５Ｂの第２純水取出路１５Ｂと第１純水生成器５Ａの第１洗浄用純水供給路１２Ａとが連通した状態とされる。
【００４４】
すなわち、第２純水生成器５Ｂを使って純水を生成させたうえで、この純水を第１純水生成器５Ａの純水通路９へ送り込む状況が整う。このような経路構成により、第１純水生成器５Ａの純水通路９を洗浄することができる。
なお、分岐部３０−第１流量計２５−合流部２６−廃棄端２７といった経路構成もなされているので、第１純水生成器５Ａの原水通路８を通過した洗浄水の流量を検出することができる。
また、第２純水生成器５Ｂからは、原水通路８−第２廃棄原水取出路１６Ｂ−分岐部３１−第２流量計２８−合流部２６−廃棄端２７といった経路構成もなされているので、第２純水生成器５Ｂの原水通路８を通過した余剰の原水は廃棄される。
【００４５】
ところで、この洗浄モードの場合、第１純水生成器５Ａにおいて純水通路９へ供給されるのが純水であると共に、原水通路８内は、先に行った原水通路洗浄モードに伴って純水が充満した状態（純水に置換された状態）にあり、且つ純水通路９の内圧が原水通路８と同等以上にされているため、純水通路９から原水通路８へ洗浄用純水が移動するようになる。そのため、第１純水生成器５Ａの第１廃棄原水取出路１６Ａから、分岐部３０−４番開閉弁４ｄ−合流部２６−廃棄端２７といった経路構成を、併せて形成させるのが好適である。
［第２純水生成器５Ｂに対する原水通路洗浄モード］
第２純水生成器５Ｂの原水通路８を洗浄するには、図７及び図１２に示すように、１番開閉弁４ａ、２番開閉弁４ｂ、６番開閉弁４ｆ、１２番開閉弁４ｌ、５番開閉弁４ｅの５つの開閉弁を開弁させ、その他の開閉弁は全て閉弁させる。
【００４６】
このようにすることで、原水供給源ＣＷ−１番開閉弁４ａ−送水ポンプ２０−一次前処理器２２−二次前処理器２３−２番開閉弁４ｂ−（第１原水供給路１０Ａ）−第１純水生成器５Ａの原水通路８〜純水通路９−（第１純水取出路１５Ａ）−６番開閉弁４ｆ−合流部３５−純水流量計３６−分配経路３７−１２番開閉弁４ｌ−（第２洗浄水供給路１１Ｂ）−第２純水器５Ｂの原水通路８−（第２廃棄原水取出路１６Ｂ）−分岐部３１−５番開閉弁４ｅ−合流部２６−廃棄端２７といった経路構成がなされ、第１純水生成器５Ａの第１純水取出路１５Ａと第２純水生成器５Ｂの第２洗浄水供給路１１Ｂとが連通した状態とされる。
【００４７】
すなわち、第１純水生成器５Ａを使って純水を生成させたうえで、この純水を第２純水生成器５Ｂの原水通路８へ送り込む状況が整う。ここにおいて繰り返し言えば、第２純水生成器５Ｂの原水通路８へは第２洗浄水供給路１１Ｂを使って純水が供給されるのであって、第２原水供給路１０Ｂを使って原水が原水通路８へ供給されているのではない（原水供給源ＣＷからの原水が直送されるのではない）。このような経路構成により、第２純水生成器５Ｂの原水通路８を洗浄することができる。
なお、分岐部３１−第２流量計２８−合流部２６−廃棄端２７といった経路構成もなされているので、第２純水生成器５Ａの原水通路８を通過した洗浄水の流量を検出することができる。
【００４８】
また、第１純水生成器５Ａからは、原水通路８−第１廃棄原水取出路１６Ａ−分岐部３０−第１流量計２５−合流部２６−廃棄端２７といった経路構成もなされているので、第１純水生成器５Ａの原水通路８を通過した余剰の原水は廃棄される。
［第２純水生成器５Ｂに対する純水通路洗浄モード］
第２純水生成器５Ｂの純水通路９を洗浄するには、図７及び図１３に示すように、１番開閉弁４ａ、２番開閉弁４ｂ、６番開閉弁４ｆ、９番開閉弁４ｉ、１４番開閉弁４ｎ、５番開閉弁４ｅの６つの開閉弁を開弁させ、その他の開閉弁は全て閉弁させる。
【００４９】
このようにすることで、原水供給源ＣＷ−１番開閉弁４ａ−送水ポンプ２０−一次前処理器２２−二次前処理器２３−２番開閉弁４ｂ−（第１原水供給路１０Ａ）−第１純水生成器５Ａの原水通路８〜純水通路９−（第１純水取出路１５Ａ）−６番開閉弁４ｆ−合流部３５−純水流量計３６−分配経路３７−９番開閉弁４ｉ−（第２洗浄用純水供給路１２Ｂ）−第２純水器５Ｂの純水通路９−（第２廃棄純水取出路１７Ｂ）−分岐部４９−１４番開閉弁４ｎ−合流部２６−廃棄端２７といった経路構成がなされ、第１純水生成器５Ａの第１純水取出路１５Ａと第２純水生成器５Ｂの第２洗浄用純水供給路１２Ｂとが連通した状態とされる。
【００５０】
すなわち、第１純水生成器５Ａを使って純水を生成させたうえで、この純水を第２純水生成器５Ｂの純水通路９へ送り込む状況が整う。このような経路構成により、第２純水生成器５Ｂの純水通路９を洗浄することができる。
なお、分岐部３１−第２流量計２８−合流部２６−廃棄端２７といった経路構成もなされているので、第２純水生成器５Ｂの純水通路９を通過した洗浄水の流量を検出することができる。
また、第１純水生成器５Ａからは、原水通路８−第１廃棄原水取出路１６Ａ−分岐部３０−第１流量計２５−合流部２６−廃棄端２７といった経路構成もなされているので、第１純水生成器５Ａの原水通路８を通過した余剰の原水は廃棄される。
【００５１】
ところで、この洗浄モードの場合、第２純水生成器５Ｂにおいて純水通路９へ供給されるのが純水であると共に、原水通路８内は、先に行った原水通路洗浄モードに伴って純水が充満した状態（純水に置換された状態）にあり、且つ純水通路９の内圧が原水通路８と同等以上にされているため、純水通路９から原水通路８へ洗浄用純水が移動するようになる。そのため、第２純水生成器５Ｂの第２廃棄原水取出路１６Ｂから、分岐部３１−５番開閉弁４ｅ−合流部２６−廃棄端２７といった経路構成を、併せて形成させるのが好適である。
［まとめ］
上記詳説したように、この生活用水製造装置１では、第１純水生成器５Ａ又は第２純水生成器５Ｂを用いて純水の生成ができ、この純水を所望に応じて混合水栓４３や吐出栓５２から吐出させることができる。かくして、不純物を除去したピュアな純水を洗顔、洗髪等の理美容分野、医療健康分野、飲食関係、その他、生活用水利用設備全般に亘って利用することができる。
【００５２】
また、第１純水生成器５Ａ又は第２純水生成器５Ｂはそれぞれ、各種洗浄モードによって原水通路８と純水通路９とが順番に洗浄されるようになっているので、逆浸透膜７における原水通路８に向く面の洗浄（洗い流し）と、純水通路９に向く面の洗浄（不純物の詰まり解消及び洗い流し）とが行われ、常に清浄な状態（フィルターとしての高機能状態）が維持されることになる。
そのため、第１純水生成器５Ａや第２純水生成器５Ｂが具備する機能の全てを十分に活用したものとして、純水の生成ができるものであり、生成される純水として純度の高いピュア度を維持したものとできる。
【００５３】
なお、純水を生成するに際し、第１純水生成器５Ａを使用するか又は第２純水生成器５Ｂを使用するかといった判断、或いはどのタイミングで各種洗浄モードを実施するかといったことは、経路制御部６０が具備するシーケンサやコンピュータ等に対して入力するタイムスケジュールやプログラム、或いは人的なスイッチ操作に基づき、所望に設定できるものである。
ところで、本発明は、上記実施形態に限定されるものではなく、実施の形態に応じて適宜変更可能である。
【００５４】
例えば純水生成器は３個以上使用することもでき、最小使用数は２個、最大使用数は何個でも使用可能である。また廃棄端２７は各純水生成器５（５Ａ，５Ｂ）ごと、或いは廃棄原水取出路１６（１６Ａ，１６Ｂ）ごと、廃棄純水取出路（１７Ａ，１７Ｂ）ごとに、複数箇所設けてもよい。
さらに、この生活用水製造装置１は洗面化粧台２への実施が限定されるものではなく、流し台や浴室、手洗い、幼児用入浴設備、病人用治療設備、理美容分野、医療健康分野、飲食関係（炊飯や出し汁、飲料水、料理水、製氷機等）、その他、生活用水利用設備全般に亘って利用することができる。
【００５５】
また、ホテルや集合住宅、業務用理美容施設、病院、レストラン、その他、各種業務用設備等に適用する場合には、洗面台やシャンプードレッサー、流し台、浴室、手洗い等の端末設備と生活用水製造装置とは分離し、純水生成器の使用個数を増加させたり容量を増加し、ポンプも大型にして１台の生活用水製造装置により一箇所で集中して純水を製造させ、これを複数の端末設備へ分配供給させるようにしてもよい。さらに、一軒家であっても、屋外に生活用水製造装置を設置して、１箇所で純水を集中して製造させ、これを屋内の各端末設備に分配供給させるようにしてもよい。
【図面の簡単な説明】
【００５６】
【図１】本発明に係る生活用水製造装置の全体の配管図である。
【図２】純水生成器を説明した概要図である。
【図３】純水生成器の平面断面図（原水通路及び通水通路が共に常圧時）である。
【図４】純水生成器の平面断面図（原水通路が加圧された状態）である。
【図５】本発明に係る生活用水製造装置を組み込んだ洗面化粧台の一実施形態を示した斜視図である。
【図６】図５の洗面化粧台を示した正面透視図である。
【図７】図１の生活用水製造装置の各動作モードに基づいた各開閉弁の動作状況を示した表である。
【図８】図１の生活用水製造装置における［第１純水生成器５Ａによる純水生成モード］の経路構成を示した配管図である。
【図９】図１の生活用水製造装置における［第２純水生成器５Ｂによる純水生成モード］の経路構成を示した配管図である。
【図１０】図１の生活用水製造装置における［第１純水生成器５Ａに対する原水通路洗浄モード］の経路構成を示した配管図である。
【図１１】図１の生活用水製造装置における［第１純水生成器５Ａに対する純水通路洗浄モード］の経路構成を示した配管図である。
【図１２】図１の生活用水製造装置における［第２純水生成器５Ｂに対する原水通路洗浄モード］の経路構成を示した配管図である。
【図１３】図１の生活用水製造装置における［第２純水生成器５Ｂに対する純水通路洗浄モード］の経路構成を示した配管図である。
【符号の説明】
【００５７】
１    生活用水製造装置
２    洗面化粧台
３    配管システム
５    純水生成器
５Ａ    第１純水生成器
５Ｂ    第２純水生成器
６    容器
７    逆浸透膜
８    原水通路
９    純水通路
１０    原水供給路
１０Ａ    第１原水供給路
１０Ｂ    第２原水供給路
１１    洗浄水供給路
１１Ａ    第１洗浄水供給路
１１Ｂ    第２洗浄水供給路
１２    洗浄用純水供給路
１２Ａ    第１洗浄用純水供給路
１２Ｂ    第２洗浄用純水供給路
１５    純水取出路
１５Ａ    第１純水取出路
１５Ｂ    第２純水取出路
１６    廃棄原水取出路
１６Ａ    第１廃棄原水取出路
１６Ｂ    第２廃棄原水取出路
１７    廃棄純水取出路
１７Ａ    第１廃棄純水取出路
１７Ｂ    第２廃棄純水取出路
２２    一次前処理器
２３    二次前処理器
２７    廃棄端
３８    紫外線殺菌装置
４０    加熱装置
４３    混合水栓
５２    吐出栓
６０    経路制御部
ＣＷ    原水供給源
【図１】
2008073669.tif 000003
【図２】
2008073669.tif 000004
【図３】
2008073669.tif 000005
【図４】
2008073669.tif 000006
【図５】
2008073669.tif 000007
【図６】
2008073669.tif 000008
【図７】
2008073669.tif 000009
【図８】
2008073669.tif 000010
【図９】
2008073669.tif 000011
【図１０】
2008073669.tif 000012
【図１１】
2008073669.tif 000013
【図１２】
2008073669.tif 000014
【図１３】
2008073669.tif 000015